(57)【特許請求の範囲】
【請求項１】
調整可能なバックル（１）と摺動リング型ホルダー（３）を備え、該摺動リング型ホルダー（３）がストラップの自由端部分（４）を一緒に保持するようにされ、
前記ストラップの整合する面ファスナーの牡雌部材が、前記可動リング型ホルダー（３）の底部の内側に設けられ、且つストラップの使用時に可動リング型ホルダー（３）を位置決めするように支持されるストラップの部分に沿ってストラップ（２）の後方に取付けられる腕時計用ストラップ、ベルト又は同様なバンド（２）装置において、
前記ストラップ（２）が、上側層（２ａ）と下側層（２ｂ）との二つの層から成り、これら二つの層が互いに接合され、
前記下側層（２ｂ）が細長い開口（７）を備え、該細長い開口（７）に開口（７）で画定した上側層（２ａ）の表面に対して面ファスナーの一方の部材が他方の部材に対して露出して取り付けられ、
前記面ファスナーの一方の部材と整合する前記他方の部材が前記ホルダー（３）の内側に取り付けられていることを特徴とする腕時計用ストラップ、ベルト又は同様なバンド装置。
【請求項２】
開口（７）に露出した面ファスナー部材が、前記開口（７）においてバンドの上側層（２ａ）と下側層（２ｂ）との間に延びかつそれらの間に固定される二つの端部分（５ａ、５ｂ）を備えていることを特徴とする請求項１記載の腕時計用ストラップ、ベルト又は同様なバンド装置。
【請求項３】
細長い開口（７）に露出した面ファスナー部材が雌部材（５）であることを特徴とする請求項２記載の腕時計用ストラップ、ベルト又は同様なバンド装置。
【発明の詳細な説明】
【技術分野】
【０００１】
本発明は、調整可能なバックル及び摺動可能なリング型ホルダーを備え、摺動可能なリング型ホルダーがストラップの自由端部分（４）をストラップと一緒に適当な位置に保持するようにされ、前記リング型ホルダー及びバンドのそれぞれに設けられた面ファスナーの整合する牡雌部材のうち、一方の部材が可動リング型ホルダーの底部の内側に取り付けられ、他方の部材がバンドの使用時に可動リング型ホルダーを位置決めするように支持するストラップの少なくとも部分に沿ってストラップの後方に取付けられる腕時計用ストラップ装置に関する。
【背景技術】
【０００２】
面ファスナーなしの同種の従来公知の装置では、しばしば、リング型ホルダーはバンドの自由端部分から滑り外れ、それで上記自由端部分は都合悪くバンドから自由に突き出ることになり、その結果バックルが外れることになり得る。可動ホルダーを最初に摺動し難い様に寸法決めしたとしても、経験によれば、この品質は数回使用した後には失われ、ホルダーは平滑に摺動することになる。
【０００３】
特許文献１には、バンドの自由端部分から可動ホルダーが滑って外れるのを防止する装置が開示されている。自由端部分の上側及び可動ホルダーの上方部分の内部には、磁気的に引寄せる部材が設けられる。従って、可動ホルダーは、バンドの自由端部分の長さに関係なしにバンドの自由端部分に固着する。バンドかベルトでありしかもベルトがバックルで引き留められる場合には、可動ホルダーは通常ベルトに沿って滑り下がるが、外れることはない。というのは、ホルダーがベルトの自由端部分に突き通しているからである。従って、この公知の装置は多くの価値ある品質を有するが、しかし磁気部材はバンド又はベルトの使用時に強い機械的磨耗を受けることになり、その結果、明らかに磁気部材が機能しなくなるという傾向となる。さらに、磁気部材による解決法は信じられないほど費用がかかる。
【０００４】
かかる問題の良好な解決法は特許文献２から公知であり、任意の位置における可動ホルダーの所望の調整は上記の面ファスナー調整によって達成される。この公知の装置による明らかな利点は、可動ホルダーが一度所望の位置に位置決めされると、可動ホルダーはその所望の位置に留まり、バンドの自由端部分は、バックルによるバンドのロック及び解放時に、摺どうして自由にホルダー内に入ったりホルダーから出たりできる。バックルの調整時にのみ、ホルダーを緩めて動かし、面ファスナー部材によって取付ける必要がある。しかし、面ファスナー部材の固着力は強く、ホルダーをバンドに取付けた面ファスナー部材の端部に近接して位置決めした場合にはバンドに取付けた面ファスナー部材がバンドからソーンオフ（thorn  off）されることが生じ得ることがわかった。
【特許文献１】スウエーデン国特許第４６２０７４号明細書
【特許文献２】スウエーデン国特許ＳＥ９７０１３２１−３
【発明の開示】
【発明が解決しようとする課題】
【０００５】
バンドの自由端部分に可動ホルダーを当たるようにする問題を解決する事が大いに要求されており、本発明の目的は公知の装置の不便さを解消するような解決を達成することにある。
【課題を解決するための手段】
【０００６】
この目的は、明細書の[技術分野]の項に記載した装置が特許請求の範囲の請求項１に定義した特徴をもつ本発明によって達成される。面ファスナー部材の一つがバンドの底層の細長い開口に埋め込まれ、そして上層の表面に取付けられるので、開口の縁部は埋め込んだ面ファスナー部材の縁部を保護する。これは、特に擦り落とされるのを保護される面ファスナー部材の端部に適用する。
【０００７】
請求項２によれば、細長い開口に露出した面ファスナー部材は、適当には、バンドの上側層と下側層との間距離のびかつそれらの間に固定される二つの端部分を備えている。
【０００８】
請求項３によれば、細長い開口に露出する面ファスナー部材は雌部材であり、この雌部材は周知のように、牡部材のフックとは異なる閉ループをもち、従って皮膚又は織物から成る表面に傷つけることのない柔らかなべルベット構造をもつ。
【０００９】
本発明は、例として本発明による装置の実施形態を示す添付図面を参照して以下の記載で詳細に説明する。
【００１０】
図面にはバックル１を備えた腕時計用ストラップ２を示している。ストラップ２の自由端部分は可動リング型ホルダー３を通ってのび、可動リング型ホルダー３はストラップ２の頂側に並んでストラップの自由端４を適当な位置に保っている。ストラップ２は二つの層即ち上側層２ａと下側層２ｂを有し、これら二つの層はストラップの縁部に沿ってステッチングすることにより接合されている。
前記下側層２ｂは細長い開口７を備え、この開口７において面ファスナーの雌部材５が上側層２ａの底側に固定又は固着される。前記開口７及び雌部材５は、バックル１に近接したストラップ２の部分から自由端４がバックルから最も離れた際の通常位置までのびている。
面ファスナーの牡部材６はホルダー３の底部分の内側に取付けられている。牡部材６は本質的には雌部材５より広く、自明の理由で雌部材５の幅は制限されている。牡部材６はホルダー３の内部に固着され、そしてホルダーの底側は使用中には見えないのでステッチされ得る。
図２に示す如く、前記ホルダー３は、ホルダーに設けた牡部材６がホルダーの底部分に対してストラップ２を押圧することによりストラップ２の雌部材５に取付けられる自由端４まで動かされる。そしてホルダーの底部分は腕に載る。
ストラップを緩める際には、自由端４をホルダー３から引き抜き、そしてバックル１から解放した後、バックルから抜き取ることができる。ストラップを繰り返し装着する際には、自由端４をバックル１に通して止める。その後自由端部分は、すでに前の調節で正しい位置にあるホルダー３内に動かされる。
【００１１】
ホルダー３の位置を変える際には、面ファスナーアタッチメントは、分離するまでストラップの長手方向にホルダーに圧力を加えることにより分離され、その後、ホルダーは、牡部材６が雌部材５に固定され得る新しい位置へ動かされる。
【００１２】
面ファスナーは、通常非常にきめ細い品質と寸法をもつポリアミド樹脂で構成され、非常に丈夫である。面ファスナーの雌部材は非常に小さなループ及び純粋なベルベットと同様な構造体を備え、それで雌部材は、任意の種類の苛立ちを生じることなしに腕に装着できる。牡部材は、幾分ラフな構造体をもつフックを備え、従って適当には皮膚に接触しない又は不快にさせないホルダー３の内側に用いられる。
【００１３】
面ファスナーの二つの部材５、６は、ストラップ及びホルダーに固着され得るが、安全アタッチメントを保証するために、接着ジョイントは図３に示すように雌部材５の少なくとも端部５ａ、５ｂの一部を伸ばすことにより仕上げられ得る。端部５ａ、５ｂはストラップ２の層２ａ、２ｂ間にのび、そして両方の層に固着される。また雌部材５の側縁部は層２ａ、２ｂ間に僅かにのび得、そして上記層の両方に固着され得、また適当には、特に腕時計ストラップの縁部に沿って通常設けられる二つの装飾的縫い目によって固定され得る。
【００１４】
本発明は当然、図示し説明してきた実施形態に限定されず、特許請求の範囲に定義した装置の範囲内で種々の仕方で変更され得る。従って、面ファスナー締付け手段の雌部材は、例えば特にベルトにおいては、材料の適度な消費で長い部材を形成するために適当な間隔をあけた別個の部品の線から成り得る。
【図面の簡単な説明】
【００１５】
【図１】革から成りバックルを備えた腕時計用ストラップの平面図。
【図２】図１の線ＩＩに沿った図１に示すストラップの一部分の長手方向断面図。
【図３】図２のストラップの底部分の変形例を示す長手方向断面図。
【図１】
0004332428.tif 000002
【図２】
0004332428.tif 000003
【図３】
0004332428.tif 000004